(57)【要約】【課題】コイル断線を防ぐことが可能なレンズ駆動装置を提供する。【解決手段】レンズを保持するとともに光軸Ｌの方向に移動可能な移動体（スリーブ１３等）と、移動体を光軸Ｌの方向に移動可能に支持する支持体（バックヨーク１１等）と、コイル１８とマグネット１７を備える磁気駆動機構と、移動体と支持体との間に配置され、移動体の光軸Ｌの方向の移動を規制するバネ部材（第１，第２の板バネ１４，１５）と、を有するレンズ駆動装置１において、バネ部材は、電気的に分割された複数のバネ片１５１，１５２からなり、コイル１８のコイル巻き始め端部及びコイル巻き終り端部は、それぞれ複数のバネ片のうち異なるバネ片１５１，１５２に電気的に接続されるとともに、コイル巻き始め端部及びコイル巻き終り端部が電気的に接続された部位近傍において、移動体には、光軸Ｌの方向に突出する複数のピン１３６が周方向に並べて設けられている。【選択図】図３
2009086548.tif 000002
【特許請求の範囲】
【請求項１】
レンズを保持するとともに光軸方向に移動可能な移動体と、
前記移動体を光軸方向に移動可能に支持する支持体と、
コイルとマグネットを備え、前記移動体を光軸方向に駆動する磁気駆動機構と、
前記移動体と前記支持体との間に配置され、前記移動体の光軸方向の移動を規制するバネ部材と、を有するレンズ駆動装置において、
前記バネ部材は、電気的に分割された複数のバネ片を備え、
前記コイルのコイル巻き始め端部及びコイル巻き終り端部は、それぞれ前記複数のバネ片のうち異なるバネ片に電気的に接続されるとともに、
前記コイル端部が電気的に接続された部位近傍において、前記移動体には、光軸方向に突出する複数のピンが周方向に並べて設けられていることを特徴とするレンズ駆動装置。
【請求項２】
前記移動体には、前記コイルを引き回すためのコイルガイド部が形成されており、
前記複数のピンの周方向の間隔は、前記コイルガイド部の周方向の幅よりも大きいことを特徴とする請求項１記載のレンズ駆動装置。
【請求項３】
前記複数のピンは２本であって、当該複数のピンの間に、前記コイル端部が前記バネ片に電気的に接続されていることを特徴とする請求項１又は２記載のレンズ駆動装置。
【請求項４】
前記コイル端部は、半田によって、前記バネ片と電気的に接続されていることを特徴とする請求項１から３のいずれか記載のレンズ駆動装置。
【請求項５】
前記複数のピンの光軸方向の高さは、前記半田の高さよりも高く形成されていることを特徴とする請求項４記載のレンズ駆動装置。
【発明の詳細な説明】
【技術分野】
【０００１】
本発明は、レンズを光軸方向に変位駆動して被写体の像を結像させるレンズ駆動装置に関する。
【背景技術】
【０００２】
近年、カメラが搭載されたカメラ付き携帯電話機が普及するにつれ、その携帯電話機を用いて様々な被写体を撮影する機会が増えている。例えば、友人や風景など、カメラのレンズからある程度離れた被写体を撮影（通常撮影）したり、バスの時刻表や花びらなど、カメラのレンズと近接した位置にある被写体を撮影（接写撮影）したりする場合がある。
【０００３】
接写撮影（マクロ撮影）の場合、カメラのレンズ位置は、通常撮影時のレンズ位置よりも、僅かに被写体側に近づいた位置にする必要がある。そのため、この種の撮影レンズ系では、レンズを光軸方向に変位駆動する駆動機構を備えており、スイッチの切り替えによってこの駆動機構を駆動し、レンズを光軸方向に移動させることができるようになっている（例えば特許文献１参照）。
【０００４】
特許文献１に開示されたレンズ駆動装置は、鏡筒と、可動レンズを有し鏡筒に対して光軸方向へ移動される可動部と、厚み方向が光軸方向に一致した付勢用板バネと、を有している。また、この付勢用板バネは、可動部を保持する保持部と弾性変形可能とされ、可動部を光軸方向へ付勢するバネ部と、鏡筒に取り付けられる被取付け部と、を有している。そして、付勢用板バネのバネ部が、光軸方向に直交する面内において可動部に生じる移動力を抑制するように構成されている。
【０００５】
ここで、付勢用板バネのコイル接続部は、コイルホルダーのコイル巻回用突部と隣接して位置されている。そして、コイル巻回用突部に巻回された駆動用コイルの各端部は、コイル接続部と半田によって接続されている。
【０００６】
【特許文献１】特開２００６−２２７１０３号公報（段落番号［００８８］）
【発明の開示】
【発明が解決しようとする課題】
【０００７】
しかしながら、特許文献１に開示された従来のレンズ駆動装置において、更なる小型化を図ろうとした場合、コイルホルダーのコイル巻回用突部は、径方向に突出するように形成されており、径方向における小型化の妨げになる。また、付勢用板バネに径方向のアーム部を設け、そのアーム部に駆動用コイルを巻回する場合も同様に、このアーム部によって径方向における小型化の妨げとなる。
【０００８】
一方で、例えば付勢用板バネの光軸方向における表面に、駆動用コイルの端部を半田付けすることも考えられる。しかし、レンズの焦点位置が無限遠に位置した場合（すなわち通常撮影時のレンズ位置の場合）には、一般に、コイルホルダーと可動部（スリーブ）は接触状態にあるため、コイル端部に他の構成部品が接触し、最悪の場合、コイルの断線を招来する虞もある。
【０００９】
本発明は、以上の点に鑑みてなされたものであり、その目的は、コイル断線を防ぐことが可能なレンズ駆動装置を提供することにある。
【課題を解決するための手段】
【００１０】
以上のような課題を解決するために、本発明は、以下のものを提供する。
【００１１】
（１）  レンズを保持するとともに光軸方向に移動可能な移動体と、前記移動体を光軸方向に移動可能に支持する支持体と、コイルとマグネットを備え、前記移動体を光軸方向に駆動する磁気駆動機構と、前記移動体と前記支持体との間に配置され、前記移動体の光軸方向の移動を規制するバネ部材と、を有するレンズ駆動装置において、前記バネ部材は、電気的に分割された複数のバネ片を備え、前記コイルのコイル巻き始め端部及びコイル巻き終り端部は、それぞれ前記複数のバネ片のうち異なるバネ片に電気的に接続されるとともに、前記コイル端部が電気的に接続された部位近傍において、前記移動体には、光軸方向に突出する複数のピンが周方向に並べて設けられていることを特徴とするレンズ駆動装置。
【００１２】
本発明によれば、移動体と支持体とバネ部材と、コイルとマグネットを備える磁気駆動機構と、を有するレンズ駆動装置で、コイルから引き出されたコイル端部は、バネ部材を構成する複数のバネ片のうち、それぞれ異なるバネ片に電気的に接続されている。そして、コイル端部が電気的に接続された部位近傍で、光軸方向に突出する複数のピンが移動体に並べて設けられていることとしたので、コイル巻き始め端部及びコイル巻き終り端部に他の構成部品が接触する可能性が低くなり、その結果、コイル断線を防止することができる。また、コイルを移動体に巻きつける際、これら複数のピンを介して行うことで、巻回作業中にコイル端部が外れたり、他の構成部品と接触したりすることを防ぐことができる。
【００１３】
（２）  前記移動体には、前記コイルを引き回すためのコイルガイド部が形成されており、前記複数のピンの周方向の間隔は、前記コイルガイド部の周方向の幅よりも大きいことを特徴とするレンズ駆動装置。
【００１４】
本発明によれば、上述した移動体には、コイルをコイル巻回部に引き回すためのコイルガイド部が形成されており、上述した複数のピンの周方向の間隔は、コイルガイド部の周方向の幅よりも大きいこととしたので、コイル断線の防止に寄与することができる。
【００１５】
（３）  前記複数のピンは２本であって、当該複数のピンの間に、前記コイル端部が前記バネ片に電気的に接続されていることを特徴とするレンズ駆動装置。
【００１６】
本発明によれば、上述した複数のピンは２本であって、これら２本のピンの間に、コイル端部がバネ片に電気的に接続されていることとしたので、例えば便宜的に一方のピン近傍のコイルを切断する、といった作業を行う際の作業性を高めることができる。
【００１７】
（４）  前記コイル端部は、半田によって、前記バネ片と電気的に接続されていることを特徴とするレンズ駆動装置。
【００１８】
本発明によれば、上述したコイル端部は、半田によって、上述したバネ片と電気的に接続されていることとしたので、複数のピンによって、移動体と支持体（例えばホルダー）が接触する面から、コイルとバネ片が導通する（光軸方向における）位置までの距離を保つことができ、支持体に接触によるコイル断線の防止に寄与することができる。
【００１９】
（５）  前記複数のピンの光軸方向の高さは、前記半田の高さよりも高く形成されていることを特徴とするレンズ駆動装置。
【００２０】
本発明によれば、上述した複数のピンの光軸方向の高さは、上述した半田の高さよりも高く形成されているので、半田付け作業の際に、複数のピンよりも半田を低く盛る、という目標設定が容易となり、作業性を向上することができる。
【発明の効果】
【００２１】
本発明に係るレンズ駆動装置によれば、コイルのコイル巻き始め端部及びコイル巻き終り端部がバネ片と電気的に接続された部位近傍で、光軸方向に突出する複数のピンが移動体に並べて設けられているので、コイルを移動体に巻きつける際には、これら複数のピンによって、コイル端部が外れたり、他の構成部品と接触したりすることを防ぐことができる。
【発明を実施するための最良の形態】
【００２２】
以下、本発明を実施するための最良の形態について、図面を参照しながら説明する。
【００２３】
［機械構成］
図１は、本発明の実施の形態に係るレンズ駆動装置１の外観構成を示す斜視図である。図２は、本発明の実施の形態に係るレンズ駆動装置１の機械構成を示す分解斜視図である。
【００２４】
図１及び図２において、レンズ駆動装置１は、レンズバレル１０と、バックヨーク１１と、カバー１２と、スリーブ１３と、第１の板バネ１４と、第２の板バネ１５と、磁性部材としてのワイヤースプリング１６と、マグネット１７と、コイル１８と、台座１９と、小台座２０と、導通部材２１と、を有している。
【００２５】
なお、レンズ駆動装置１は、スリーブ１３を光軸Ｌの方向に沿って、被写体（撮像対象）に近づくＡ方向（前側）、被写体とは反対側（像側）に近づくＢ方向（後側）の双方向に移動させるものである（図１参照）。また、一又は複数枚のレンズが組み込まれたレンズバレル１０を保持するスリーブ１３は、ワイヤースプリング１６等と併せて光軸Ｌの方向に移動可能に構成されており、「移動体」の一例に相当する。また、バックヨーク１１、カバー１２や台座１９などは、スリーブ１３等を光軸方向に移動可能に支持する「支持体」の一例に相当する。また、スリーブ１３等は、コイル１８とマグネット１７を備える「磁気駆動機構」によって、光軸Ｌの方向に駆動される。さらに、第２の板バネ１５は、スリーブ１３と台座１９との間に配置され、スリーブ１３の光軸Ｌの方向の移動を規制する機能を備えており、電気的に分割された２個のバネ片１５１及びバネ片１５２からなっている（図２参照）。
【００２６】
バックヨーク１１は、例えば鋼板などの強磁性板から構成され、角筒状を呈している。また、バックヨーク１１は、レンズ駆動装置１の側面で露出し、その側面部を構成しており、移動体の側面を覆うケース体としての機能を有している。カバー１２は、バックヨーク１１に取付けられ、支持体として被写体側を覆うものであって、その中央には、被写体からの反射光をレンズに取り込むための円形の入射窓１２１が形成されている。台座１９は、像側で撮像素子（図示せず）を保持するものである。
【００２７】
コイル１８は、第１のコイル１８１及び第２のコイル１８２から構成され、これらは光軸Lの方向に２段に配置され、いずれも円環状となっている。そして、スリーブ１３の外周面に所定の間隔をおいて巻き付けられるとともに、移動体を光軸方向に駆動する。また、８個のマグネット１７が光軸方向に２段に重ねて配置されており、各段のマグネット１７は、前側のマグネット１７が第１のコイル１８１に対して及び後側のマグネット１７は第２のコイル１８２に対して外周側で対向し、バックヨーク１１の内周面のうち４箇所の角部分に固定される。
【００２８】
本実施の形態では、マグネット１７は、いずれにおいても内面と外面とが異なる極に着磁されている。例えば、前側に配置された４個のマグネット１７は、その内面がＮ極に着磁され、外面がＳ極に着磁され、後側に配置された４個のマグネット１７は、その内面がＳ極に着磁され、外面がＮ極に着磁されている。
【００２９】
第１の板バネ１４及び第２の板バネ１５は、双方とも金属製の薄板から形成されており、光軸方向における厚さを同じにしている。
【００３０】
バックヨーク１１は、第１のコイル１８１及び第２のコイル１８２が配置されている領域の光軸方向の寸法、および、マグネット１７の光軸方向の寸法よりも大きくなっているため、マグネット１７と第１のコイル１８１との間に構成される磁路、及び、マグネット１７と第２のコイル１８２との間に構成される磁路からの漏れ磁束を少なくすることができ、その結果、スリーブ１３の移動量と、第１のコイル１８１及び第２のコイル１８２に流す電流との間のリニアリティを向上させることができるようになっている。
【００３１】
レンズ駆動装置１は、円環状のワイヤースプリング（磁性部材）１６を備えている。ワイヤースプリング１６は、マグネット１７との間に作用する磁気吸引力により、スリーブ１３に対して光軸方向の付勢力を印加する。このため、移動体（スリーブ１３等）がコイルの非通電時に自重で変位することを防止することができ、ひいては移動体（スリーブ１３等）に所望の姿勢を維持させることができる。
【００３２】
スリーブ１３は、光軸Ｌの方向を軸方向として形成され、第１のコイル１８が巻かれる第１のコイル巻回部１３１及び第２のコイル１８２が巻かれる第２のコイル巻回部１３２（いずれも凹部形状）と、コイル１８を所定の位置または巻回方向に案内する第１のガイド部１３３，第２のガイド部１３４，及び第３のガイド部１３５と、を有している。
【００３３】
本実施形態では、前側に配置された４個のマグネット１７の内面がＮ極に、後側に配置された４個のマグネット１７の内面がＳ極に着磁されているので、第1のコイル巻回部１３１と第２のコイル巻回部１３２に巻回される第1のコイル１８１、第２のコイル１８２の巻回方向は互いに逆方向となっている。これにより、コイル１８に電流を供給した際、発生する力（推力）は同じ方向となるようにしている。
【００３４】
具体的には、第1のコイル巻回部１３１と第２のコイル巻回部１３２との間に配置された第２のコイルガイド部１３４でコイル１８の巻回方向を変えて、すなわち、第２コイル巻回部１３２に巻回されたコイル１８（第２のコイル１８２）は、第２のコイルガイド部１３４を用いてその巻回方向を逆方向に変換され、コイル１８（第１のコイル１８１）が第１のコイル巻回部１３１に所定の巻数、巻回される。また、コイル１８を巻き始める際、コイル１８にテンションをかけて巻回作業がスムーズに行うことができるように、コイル１８のコイル巻き始め端部はピン１３６ｃ、１３６ｄに巻回されている。同様に、コイル１８のコイル巻き終わり端部はピン１３６ａ、１３６ｂに巻回された状態となっている。
【００３５】
導通部材２１は、外部電源からの電流をコイル１８に供給する際の媒体となるもので、第２のコイル１８２と電気的に接続された第２の板バネ１５の端子に接触するように構成され、電気的に導通されている。
【００３６】
ここで、本実施形態に係るレンズ駆動装置１では、コイル１８（第１のコイル１８１及び第２のコイル１８２）を第２の板バネ１５に電気的に接続する際に、スリーブ１３の後側に形成されたピン１３６（後述する図３参照）を用いる点が特徴的である。より具体的には、スリーブ１３の後側には、光軸Ｌの方向に突出する４個のピン１３６（１３６ａ〜１３６ｄ）が、周方向に並べて設けられている。以下、このピン１３６及び第２の板バネ１５に関して、図３〜図６を用いて詳述する。
【００３７】
［ピン及び第２の板バネ］
図３は、レンズ駆動装置１から台座１９及び小台座２０を取り除き、斜め後側から見たときの様子を示す図である。図４は、図３に示すレンズ駆動装置１から更に導通部材２１を取り除き、後側から見たときの様子を示す図である。図５は、第２の板バネ１５，台座１９，及び小台座２０に着目したときの様子を示す図である。
【００３８】
図３から図５において、第２の板バネ１５は、電気的に分離された２枚のバネ片１５１，１５２からなっている。すなわち、第２の板バネ１５は、電気的に分割されたバネ片１５１，１５２を備えている。バネ片１５１（１５２）は、図５に示すように、樹脂形成された台座１９に保持（固定）される２個の台座側取り付け部１５１ａ，１５１ｂ（１５２ａ，１５２ｂ）と、スリーブ１３の下端部（後側端部）に取付けられる円弧状の載置部１５１ｃ（１５２ｃ）と、一部が切り欠かれた略孔形状からなる複数のスリーブ側取り付け部１５１ｄ，１５１ｅ（１５２ｄ，１５２ｅ）と、台座側取り付け部１５１ａ，１５１ｂ（１５２ａ，１５２ｂ）とスリーブ側取り付け部１５１ｄ，１５１ｅ（１５２ｄ，１５２ｅ）を連結する２本のバネ部１５１ｆ，１５１ｇ（１５２ｆ，１５２ｇ）と、を備えている。また、本実施の形態では、図５に示すように、２本のバネ部１５１ｆ、１５１ｇ（１５２ｆ，１５２ｇ）は隣の角部に配置されたバネの近傍まで延びている。また、円弧状の載置部１５１ｃ（１５２ｃ）には、ピン貫通部１５１ｈ（１５１ｉ）が形成され、その外側には、バネ部１５１ｆ（１５２ｇ）が形成されている。
【００３９】
そして、スリーブ１３の下端部（後側端部）には、撮像素子側に延びる複数の突部１３ａ〜１３ｄが形成されている。したがって、スリーブ側取り付け部１５１ｄ，１５１ｅ（１５２ｄ，１５２ｅ）と、これら突部１３ａ〜１３ｄとが係合するように構成されている。
【００４０】
一方、図５に示すように、バネ片１５１，１５２の４個の台座側取り付け部１５１ａ，１５１ｂ（１５２ａ，１５２ｂ）は、台座１９面上に保持されている。そして、台座１９の四隅には、被写体側に延びる突部１９１ａ〜１９１ｄが形成されている。したがって、台座側取り付け部１５１ａ，１５１ｂ（１５２ａ，１５２ｂ）に形成された孔と、この突部１９１ａ〜１９１ｄが係合するように構成されている。これらの係合によって、バネ片１５１，１５２は、台座１９に保持される
【００４１】
なお、スリーブ側取り付け部１５１ｄ，１５１ｅ（１５２ｄ，１５２ｅ）と突部１３ａ〜１３ｄ、及び、台座側取り付け部１５１ａ，１５１ｂ（１５２ａ，１５２ｂ）に形成された孔と突部１９１ａ〜１９１ｄ、とは、それぞれ溶着によって固定される。また、スリーブ１３の後側端面には、台座１９と当接する度当たり部１３７が４箇所設けられており、度当たり部１３７が台座１９の所定の箇所に当接することで、スリーブ１３が光軸Ｌ方向に位置決めされる。
【００４２】
ここで、本実施形態に係るレンズ駆動装置１では、円弧状の載置部１５１ｃ（１５２ｃ）の中央付近に、それぞれ略円形状に切り欠かれたピン貫通部１５１ｈ，１５１ｉが形成されている。そして、上述した４個のピン１３６（１３６ａ〜１３６ｄ）は、これらピン貫通部１５１ｈ，１５１ｉを貫通するように構成されている（図３参照）。
【００４３】
特に、これら４個のピン１３６（１３６ａ〜１３６ｄ）は、台座１９に接触していない。詳細は、図６を用いて説明する。図６は、レンズ駆動装置１を縦方向に切断したときの縦断面図である。図６に示すように、ピン１３６ａ及びピン１３６ｃは、台座１９に接触していない。同様に、ピン１３６ｂ及びピン１３６ｄは、台座１９に接触していない。また、ピン貫通部１５１ｈ，１５１ｉにも、小台座２０などその他の部材にも接触していない。
【００４４】
このような構成からなるレンズ駆動装置１では、第２のコイル巻回部１３２のコイル巻き始め端部及びコイル巻き終り端部は、それぞれ２個のバネ片１５１，１５２のうち異なるバネ片に電気的に接続されている。そして、これらのコイル端部が第２の板バネ１５と電気的に接続される部位近傍で、上述したピン１３６が形成されている。特に、本実施形態では、２個のバネ片１５１，１５２それぞれにおいて、２個のピン１３６の間に、半田５０（図８（ｂ）参照）によって、コイル端部が第２の板バネ１５と電気的に接続されるようになっている。以下、図７〜図９を用いて詳細に説明する。
【００４５】
［電気的接続］
図７は、コイル１８が巻回されたスリーブ１３に第２の板バネ１５を取り付ける工程を説明するための説明図である。図８は、図７に示すスリーブ１３及び第２の板バネ１５等を真横から見たときの外観図である。図９は、図８から第２の板バネ１５を取り除いたときの様子を示す図である。なお、図７に示す第２の板バネ１５は、未だ外枠１００から切り離されていない状態である。
【００４６】
スリーブ１３には、上述したように、コイル１８を案内する第１のガイド部１３３，第２のガイド部１３４，及び第３のガイド部１３５が形成されているが、図７に示すように、第２のガイド部１３４近傍又は第３のガイド部１３５近傍には、それぞれ第１のコイルガイド部１３４ａ又は第２のコイルガイド部１３５ａが形成されている。第１及び第２のコイルガイド部１３４ａ，１３５ａは、径方向外側に突出し、コイル１８を引き回すためのガイド機能を有する。
【００４７】
また、複数のピン１３６ｃ，１３６ｄの周方向の間隔は、コイルガイド部１３４ａの周方向の幅よりも大きくなっている。図７等に示すスリーブ１３、すなわち、板バネ１５が取り付けられるスリーブ１３には、コイル１８が巻回されているが、巻回作業は、次のとおりである。コイル１８を巻き始める際、コイル１８にテンションをかけて巻回作業がスムーズに行うことができるように、コイル１８のコイル巻き始め端部は、ピン１３６ｃ、１３６ｄに所定の巻回数、巻回する。コイル１８は、コイルガイド部１３５ａ及び第３のガイド部１３５によってガイドされ、第２のコイル巻回部１３２へ案内される。その後、第２のコイル巻回部１３２に所定の巻回数、巻回される。巻回されたコイル１８（第２のコイル１８２）は、第２のコイルガイド部１３４を用いて、その巻回方向を逆方向に変換され、コイル１８（第１のコイル１８１）が第１のコイル巻回部１３１に所定の巻回数、巻回される。第１のコイル１８１のコイル巻き終わり端部は、第１、および第２のコイルガイド部１３４、１３５を通過して、ピン１３６ａ、１３６ｂに所定の巻回数、巻回される。巻回作業が終わると、板バネ１５を取り付けるために、ピン１３６ｃ（ピン１３６ａ）に巻回したコイルを外す。
【００４８】
このように、スリーブ１３に、第１、第２のコイル１８１、１８２が巻回された後、板バネ１５を取り付ける（図７、８（ａ）、８（ｂ）参照）。次に、２個のピン１３６ｃ，１３６ｄの間、本実施の形態では略中間位置で、半田５０によって、コイル巻き始め端部が第２の板バネ１５のバネ片１５２と電気的に接続される。同様に、コイル巻き終わり端部が、２個のピン１３６ａ、１３６ｂの略中間位置で、半田５０によって、第２の板バネ１５のバネ片１５１に電気的に接続される。
【００４９】
なお、複数のピン１３６の光軸Ｌの方向の高さは、半田５０の高さよりも高く形成されている（図８（ｂ）参照）。半田付けが終了したら、図８（ｂ）に示す矢印Ｘの箇所でコイル１８は切断される。コイル１８の巻き始めについての電気的接続が完了すると、今度は、反対側のピン１３６ａ，１３６ｂの略中間位置において、コイル巻き終わり端部が、第１の板バネ１５のバネ片１５１に電気的接続（半田付け）が行われる。
【００５０】
また、スリーブ１３を成形する際に、樹脂を流し込む部位（ゲート）が必要になる。そして、そのゲートには、バリが発生する。したがって、そのバリが他の部品と干渉しないように、スリーブ１３の後側端面のうちピン１３６近傍には、段差１３５ｂが形成されている（図９参照）。
【００５１】
［基本動作］
本実施形態に係るレンズ駆動装置１において、移動体は、通常（第１のコイル１８１及び第２のコイル１８２のコイルの非通電時）は、撮像素子側（像側）に位置する。このとき、ワイヤースプリング１６は、マグネット１７との間に作用する磁気吸引力によって、移動体の変位を規制している。ただし、ワイヤースプリング１６とマグネット１７との距離はある程度保たれているため、ワイヤースプリング１６とマグネット１７との磁気吸引力が強くなり過ぎることはない。これにより、移動体の中心軸がずれるのを防ぎ、ひいてはチルト特性の悪化を防ぐことができる。
【００５２】
このような状態において、第１のコイル１８１及び第２のコイル１８２に電流を流すと、第１のコイル１８１及び第２のコイル１８２は、それぞれ上向き（前側）の電磁力を受けることになる。これにより、第１のコイル１８１及び第２のコイル１８２並びにスリーブ１３は、被写体側（前側）に移動し始める。
【００５３】
このとき、第１の板バネ１４とスリーブ１３の前端との間、及び第２の板バネ１５とスリーブ１３の後端との間には、それぞれスリーブ１３の移動を規制する弾性力が発生する。このため、スリーブ１３を前側に移動させようとする電磁力と、スリーブ１３の移動を規制する弾性力が釣り合ったとき、スリーブ１３は停止する。また、第１のコイル１８１及び第２のコイル１８２に、逆方向の電流を流すと、第１のコイル１８１及び第２のコイル１８２は、それぞれ下向き（後側）の電磁力を受けることになる。
【００５４】
その際、第１のコイル１８１及び第２のコイル１８２に流す電流量と、第１の板バネ１４及び第２の板バネ１５によってスリーブ１３に働く弾性力を調整することで、スリーブ１３（移動体）を所望の位置に停止させることができる。なお、電磁力と弾性力との釣り合いを利用してスリーブ１３を停止させることで、係止部等と係止させるように部材同士を接触させる場合と異なり、衝突音の発生を防ぐことができる。
【００５５】
［実施形態の主な効果］
以上説明したように、本実施形態に係るレンズ駆動装置１によれば、コイル１８から引き出されたコイル巻き始め端部が第２の板バネ１５２のバネ片１５２と、コイル巻き終わり端部が第２の板バネ１５２のバネ片１５１と電気的に接続される。（半田付け）された部位近傍で、スリーブ１３の後側端面に、光軸Ｌの方向に突出する４個のピン１３６が並べて設けられているので、径方向の広がりを抑えて装置の小型化を図ることができる。すなわち、コイル１８とバネ片１５１，１５２との導通部位を、スリーブ１３の外側から内側へと移動することができるので、径方向の広がりを抑えて装置の小型化を図ることができる。なお、これに伴って、スリーブ１３の光軸Ｌの方向の駆動を制御する第２の板バネ１５の設計スペースを確保することができる。
【００５６】
また、４個のピン１３６の存在により、コイル端部が他の構成部品と接触する可能性は低くなるため、コイル断線を防止することができる。加えて、コイル１８をスリーブ１３と電気的に接続する際に、４個のピン１３６を介して行うことによって、巻回作業中にコイル巻き始め、巻き終り端部が外れたり、他の構成部品と接触したりすることを防ぐことができ、ひいては作業性を高めることができる。
【００５７】
また、４個のピン１３６の存在により、移動体（スリーブ１３）と支持体（台座１９）が接触する面から、コイル１８とバネ片１５１，１５２が導通する位置までの光軸方向における距離を保つことができるので、支持体（台座１９）に接触によるコイル断線の防止に寄与することができる。さらに、半田付けにより、フラックスが飛散しても、移動体（スリーブ１３）と支持体（台座１９）との光軸方向の位置決めとなる当接面にはその影響は小さくなり、ひいては光軸傾き又は光軸倒れを防ぐことができる。また、従来必要であったフラックス除去工程をなくしてもよく、作業性又は生産性を向上することができる。
【００５８】
また、図８に示すように、２個のピン１３６ｃ，１３６ｄ（又は１３６ａ，１３６ｂ）の周方向の間隔は、コイルガイド部１３５ａ（又はコイルガイド部１３４ａ）の周方向の幅よりも大きくなっているので、コイル１８のテンションを維持したまま方向を転換することができ、ひいてはコイル断線の防止に寄与することができる。
【００５９】
また、図８（ｂ）に示すように、半田付けの箇所は、２個のピン１３６ｃ，１３６ｄの略中間位置であるので、例えばピン１３６ｃ近傍のコイル１８を切断する、といった作業を行う際であっても、作業性を高めることができる。
【００６０】
さらに、４個のピン１３６の光軸Ｌの方向の高さは、半田５０の高さよりも高く形成されているので、半田付け作業の際には、４個のピンよりも半田５０を低く盛る、という目標設定が容易となり、作業性を向上することができる。なお、４個のピン１３６の光軸Ｌの方向の高さが、半田５０の高さよりも高い場合、半田５０と他の部品との干渉を防ぐことができ、ひいては絶縁機能を発揮することができる。
【００６１】
なお、レンズ駆動装置１は、カメラ付き携帯電話機の他にも、様々な電子機器に取り付けることが可能である。例えば、ＰＨＳ，ＰＤＡ，バーコードリーダ，薄型のデジタルカメラ，監視カメラ，車の背後確認用カメラ，光学的認証機能を有するドア等である。
【産業上の利用可能性】
【００６２】
本発明に係るレンズ駆動装置は、径方向における装置の小型化を図るとともに、コイル断線を防止することが可能なものとして有用である。
【図面の簡単な説明】
【００６３】
【図１】本発明の実施の形態に係るレンズ駆動装置の外観構成を示す斜視図である。
【図２】本発明の実施の形態に係るレンズ駆動装置の機械構成を示す分解斜視図である。
【図３】レンズ駆動装置から台座及び小台座を取り除き、斜め後側から見たときの様子を示す図である。
【図４】図３に示すレンズ駆動装置から更に導通部材を取り除き、後側から見たときの様子を示す図である。
【図５】第２の板バネ，台座，及び小台座に着目したときの様子を示す図である。
【図６】レンズ駆動装置を縦方向に切断したときの縦断面図である。
【図７】コイルが巻回された移動体に第２の板バネを取り付ける工程を説明するための説明図である。
【図８】図７に示すスリーブ及び第２の板バネ等を真横から見たときの外観図である。
【図９】図８から第２の板バネを取り除いたときの様子を示す図である。
【符号の説明】
【００６４】
１  レンズ駆動装置
１１  バックヨーク
１２  カバー
１３  移動体（スリーブ）
１４  第１の板バネ
１５  第２の板バネ
１６  ワイヤースプリング
１７  マグネット
１８  コイル
１９  台座
２０  小台座
２１  導通部材
【図１】
2009086548.tif 000003
【図２】
2009086548.tif 000004
【図３】
2009086548.tif 000005
【図４】
2009086548.tif 000006
【図５】
2009086548.tif 000007
【図６】
2009086548.tif 000008
【図７】
2009086548.tif 000009
【図８】
2009086548.tif 000010
【図９】
2009086548.tif 000011